(57)【要約】【課題】  間伐材を化粧型枠として堰堤等を構築する場合に、構築後に腐食した間伐材を容易に取り出し可能にする。【解決手段】  間伐材６の両端を左右の鋼製支保材５の溝形部４に嵌入させつつ積み重ねて、間伐材６からなる型枠面を形成する。鋼製支保材５は、少なくとも３つ以上の支保材片１１，１２，１３に分割する。一部の支保材片１２は上下の支保材片１１、１３対して前面方向に取外し可能にする。例えば支保材片１２の前面のフランジ１２ａとウエブ１２ｂと後面のフランジ１２ｃとを段差状にし、ボルト１８を支保材片１２の前面の穴１２ｄから支保材片１３側のパイプ１６に通してナット兼アンカー１９に螺合させ締め付けて、支保材片１２、１３どうしを接合する。構築後に経年により間伐材６が腐食して取り替える必要が生じた場合、一部の支保材片１２を取り外すことで、腐食した間伐材６を容易に取り出すことができる。【選択図】  図１２
2005290914.tif 000002
【特許請求の範囲】
【請求項１】
両側面に溝状部を持つ複数の鋼製支保材を間隔をあけて立て、左右の鋼製支保材間に、横向きにした多数の間伐材をその両端部を前記溝状部に嵌入させつつ積み重ねて形成する土木構造物構築用の型枠装置であって、
前記鋼製支保材が上下方向に少なくとも３つ以上の支保材片に分割され、上下に隣接する支保材片どうしは、締結部材により互いに接合され、かつ、最下部ではない一部の支保材片は、その上下に隣接する支保材片に対して前面方向に取外し可能な形状であることを特徴とする土木構造物構築用型枠装置。
【請求項２】
上下に隣接する支保材片どうしが、前後方向から見て互いに重なる重なり部を持つとともに、両者の重なり部に設けた締結部材挿通穴を通して前面側から挿入された締結部材により互いに接合されたことを特徴とする請求項１記載の土木構造物構築用型枠装置。
【請求項３】
前記各支保材片がＨ形鋼からなり、前面方向に取外し可能な支保材片は、前面のフランジの上下端部がウエブに対して上下に延出しかつ後面のフランジの上下端部がウエブに対して上下に引っ込んだ形状であり、
前記取外し可能な支保材片の上側に隣接する支保材片は、少なくとも、前面のフランジの下端部がウエブに対して上に引っ込みかつ後面のフランジの下端部がウエブに対して下に延出した形状であり、
前記取外し可能な支保材片の下側に隣接する支保材片は、前面のフランジの上端部がウエブに対して下に引っ込みかつ後面のフランジの上端部がウエブに対して上に延出した形状であり、
上下に隣接する支保材片間どうしが、前後面のフランジ及びウエブで互いに接して上下方向に連続していることを特徴とする請求項２記載の土木構造物構築用型枠装置。
【請求項４】
上下に隣接する支保材片における一方の支保材片のウエブ端にパイプを接合しかつパイプの穴に合わせてフランジに締結部材挿通穴をあけ、他方の支保材片のフランジの前記パイプに対応する位置に締結部材挿通穴をあけ、前面側から前面のフランジの締結部材挿通穴、パイプ、後面のフランジの締結部材挿通穴の順に貫通させた締結部材により、上下の支保材片どうしを締結したことを特徴とする請求項３記載の土木構造物構築用型枠装置。
【請求項５】
前記締結部材がボルトであり、このボルトに後面のフランジの背面側でナットを螺合させ締め付けて、上下の支保材片どうしを締結したことを特徴とする請求項４記載の土木構造物構築用型枠装置。
【請求項６】
前記ナットとして、コンクリート躯体に埋め込まれるアンカー材と一体に形成したナット兼アンカーを用いたことを特徴とする請求項５記載の土木構造物構築用型枠装置。
【請求項７】
棒状のアンカー材の先端面にねじ穴を形成して前記ナット兼アンカーを構成したことを特徴とする請求項６記載の土木構造物構築用型枠装置。
【請求項８】
前記間伐材の太さが不揃いであることを特徴とする請求項１〜７記載の土木構造物構築用型枠装置。
【請求項９】
前記間伐材として樹皮を残したままの間伐材を用いたことを特徴とする請求項１〜８記載の土木構造物構築用型枠装置。
【請求項１０】
露出した外壁面を両側に持つ堰堤型の土木構造物を構築する際に用いる土木構造物構築用型枠装置であって、
請求項１〜９の土木構造物構築用型枠装置の構造を有する片側用型枠装置の一対を対向させて配置したことを特徴とする土木構造物構築用型枠装置。
【請求項１１】
前記一対の片側用型枠装置のそれぞれ外面側に縦バタ材を対向させて配置し、この対向する前後の縦バタ材間を、前後の間伐材にそれぞれ設けた挿通穴を挿通させたセパレータで連結したことを特徴とする請求項１０記載の土木構造物構築用型枠装置。
【請求項１２】
前記縦バタ材の背面に、鋼製支保材の溝状部に端部が嵌入されている間伐材を溝状部内で後面側に弾性的に押し付ける隙間吸収用弾性部材を、縦バタ材長手方向に沿って取り付けたことを特徴とする請求項１０又は１１記載の土木構造物構築用型枠装置。
【請求項１３】
積み重ねた前記間伐材の背面に型板を設置したことを特徴とする請求項１〜１２記載の土木構造物構築用型枠装置。
【発明の詳細な説明】
【技術分野】
【０００１】
この発明は、堰堤や擁壁等の土木構造物を構築する際に用いる土木構造物構築用型枠装置に関し、特に、土木構造物の露出する外壁面に化粧材として間伐材を設けることができる土木構造物構築用型枠装置に関する。
【背景技術】
【０００２】
間伐材の有効活用を図るために、コンクリートの堰堤や擁壁等の土木構造物を構築する際に、土木構造物の外壁面に化粧材として間伐材を設けることが行われている。この場合、間伐材で型枠面を形成した型枠を捨て型枠として用いて、コンクリート打設を行う。主として間伐材で型枠面を形成する型枠として、従来、特許文献１〜４のようなものがある。
【０００３】
特許文献１は、積み重ねた複数の間伐材にボルト（貫通部材）を貫通させ締結してパネル化し、その背面側にパネル連結用の金物及びアンカー材を取り付けて、間伐材パネルを構成する方法である。この間伐材パネルを上下左右に複数連結して全体型枠を形成してコンクリートを打設すれば、間伐材からなる外壁面を持つ土木構造物が構築される。なお、この場合、間伐材は上下面及び背面を平坦面に加工したものを用いている。
【０００４】
また、特許文献２のように、側面に溝状部を持ち背面にアンカーを固定した支柱を間隔をあけて立て、複数の間伐材を、その両端を支柱の溝状部に嵌入させつつ積み重ねて、間伐材からなる型枠面を形成する方法もある。なお、特許文献２の例では、下流側にのみ間伐材を用い、上流側には鋼矢板を用いている。
【０００５】
また、特許文献３のように、間伐材を加工して上下面及び背面を平坦面にした木材を用い、各木材を支柱に接するように積み重ねながら、上下に隣接する木材どうしをピンで連結するとともに、一部の木材についてはボルトで支柱に固定する方法もある。
【０００６】
特許文献４のように、丸太のままの複数の間伐材をボルトを貫通させてパネル化し、この間伐材パネルを、その両端部を支柱側面の嵌入溝に嵌入させ積み上げて間伐材による型枠面を形成するものもある。
この特許文献４ではさらに、支柱として、間伐材の端部を嵌入させる主嵌入溝と予備嵌入溝とを前後に持つ支柱を用いており、土木構造物を構築する際には、支柱の主嵌入溝に間伐材の端部を嵌入させて型枠面を形成して土木構造物を構築するが、その間伐材が老朽化した時には、前記予備嵌入溝に新たな間伐材からなるパネルを嵌入させることで、新しい間伐材からなる外壁面を形成するようにしている。すなわち、旧パネルの前面に新パネルを張設することで補修を行うという方法である。
【特許文献１】特許第2877187号
【特許文献２】特開2002−242164号
【特許文献３】特開2001−200546号
【特許文献４】特開2001−172943号
【発明の開示】
【発明が解決しようとする課題】
【０００７】
上記の特許文献１のように、複数の間伐材をボルトで連結してパネル化し、その背面側にパネル連結用の金物及びアンカー材を取り付けた型枠では、土木構造物を構築後に外壁面の間伐材が腐食した場合、その腐食した間伐材を新たな間伐材と取り替えることはできない。
また、特許文献２のように、背面にアンカーを固定した支柱の溝状部に間伐材を嵌入させる構造の場合、構築後は支柱をコンクリート躯体から取り外せない。したがって、支柱の溝状部に嵌入している間伐材を取り出すためには、間伐材を1本ずつ支柱の溝状部に沿って引き上げて支柱上端から取り出さなければならない。この作業は煩雑であり、腐食した間伐材を新たな間伐材と取り替えることは容易でない。
【０００８】
特許文献３の型枠は、ボルトを外すことで間伐材を支柱から取り外すことができ、また、連結ピンを外して間伐材どうしを分離できるので、腐食した間伐材を新たな間伐材と取り替えることは可能である。しかし、間伐材どうしピン連結しあるいは間伐材をボルトで支柱に固定する作業が極めて煩雑であり、施工性が悪く、施工コストも高くなる。また、間伐材の加工が必要なのでその加工が煩雑であり、その点でもコストも高くなる。
【０００９】
特許文献４の型枠は、既存の間伐材による外壁面の外側に、新しい間伐材のパネルで新たな外壁面を形成することができ、外観を良好にすることができる。しかし、腐食した間伐材を内部に残したままであるから、必ずしも適切とは言えない。また、一部の間伐材パネルについてだけ補修（旧パネルの前面に新パネルを張設）することは、外観的に不適切で実際上できない。また、間伐材パネルを支柱の上端から支柱の嵌入溝に嵌入する方式であるから、補修の際にも、間伐材パネルを高く持ち上げる揚重機が必要であり、煩雑であるとともに、補修工事のコストも高くなる。
【００１０】
本発明は上記従来の欠点を解消するためになされたもので、間伐材からなる外壁面を持つ堰堤や擁壁等の土木構造物を構築できるとともに、構築後に間伐材が腐食した場合に、容易に新しい間伐材と取り替えることができる土木構造物構築用型枠装置を提供することを目的とする。
【課題を解決するための手段】
【００１１】
上記課題を解決する請求項１の発明は、両側面に溝状部を持つ複数の鋼製支保材を間隔をあけて立て、左右の鋼製支保材間に、横向きにした多数の間伐材をその両端部を前記溝状部に嵌入させつつ積み重ねて形成する土木構造物構築用の型枠装置であって、
前記鋼製支保材が上下方向に少なくとも３つ以上の支保材片に分割され、上下に隣接する支保材片どうしは、締結部材により互いに接合され、かつ、最下部ではない一部の支保材片は、その上下に隣接する支保材片に対して前面方向に取外し可能な形状であることを特徴とする。
【００１２】
請求項２は、請求項１において、上下に隣接する支保材片どうしが、前後方向から見て互いに重なる重なり部を持つとともに、両者の重なり部に設けた締結部材挿通穴を通して前面側から挿入された締結部材により互いに接合されたことを特徴とする。
【００１３】
請求項３は、請求項２において、各鋼製支保材がＨ形鋼からなり、前面方向に取外し可能な支保材片は、前面のフランジの上下端部がウエブに対して上下に延出しかつ後面のフランジの上下端部がウエブに対して上下に引っ込んだ形状であり、取外し可能な支保材片の上側に隣接する支保材片は、少なくとも、前面のフランジの下端部がウエブに対して上に引っ込みかつ後面のフランジの下端部がウエブに対して下に延出した形状であり、取外し可能な支保材片の下側に隣接する支保材片は、前面のフランジの上端部がウエブに対して下に引っ込みかつ後面のフランジの上端部がウエブに対して上に延出した形状であり、上下に隣接する支保材片間どうしが、前後面のフランジ及びウエブで互いに接して上下方向に連続していることを特徴とする。
【００１４】
請求項４は、請求項３において、上下に隣接する支保材片における一方の支保材片のウエブ端にパイプを接合しかつパイプの穴に合わせてフランジに締結部材挿通穴をあけ、他方の支保材片のフランジの前記パイプに対応する位置に締結部材挿通穴をあけ、前面側から前面のフランジの締結部材挿通穴、パイプ、後面のフランジの締結部材挿通穴の順に貫通させた締結部材により、上下の支保材片どうしを締結したことを特徴とする。
【００１５】
請求項５は、請求項４において、締結部材がボルトであり、このボルトに後面のフランジの背面側でナットを螺合させ締め付けて、上下の支保材片どうしを締結したことを特徴とする。
締結部材としてはボルトが適切であるが、ボルトを用いない締結部材を用いることができる。
【００１６】
請求項６は、請求項５におけるナットとして、コンクリート躯体に埋め込まれるアンカー材と一体に形成したナット兼アンカーを用いたことを特徴とする。
請求項７は、請求項６において、棒状のアンカー材の先端面にねじ穴を形成してナット兼アンカーを構成したことを特徴とする。
【００１７】
請求項８は、請求項１〜７の土木構造物構築用型枠装置において、前記間伐材の太さが不揃いであることを特徴とする。
【００１８】
請求項９は、請求項１〜８の土木構造物構築用型枠装置において、間伐材として樹皮を残したままの間伐材を用いたことを特徴とする。
【００１９】
請求項１０の発明は、露出した外壁面を両側に持つ堰堤型の土木構造物を構築する際に用いる土木構造物構築用型枠装置であって、請求項１〜９の土木構造物構築用型枠装置の構造を有する片側用型枠装置の一対を対向させて配置したことを特徴とする。
【００２０】
請求項１１は、請求項１０の土木構造物構築用型枠装置において、一対の片側用型枠装置のそれぞれ外面側に縦バタ材を対向させて配置し、この対向する前後の縦バタ材間を、前後の間伐材にそれぞれ設けた挿通穴を挿通させたセパレータで連結したことを特徴とする。
【００２１】
請求項１２は、請求項１０又は１１の土木構造物構築用型枠装置において、前記縦バタ材の背面に、鋼製支保材の溝状部に端部が嵌入されている間伐材を溝状部内で後面側に弾性的に押し付ける隙間吸収用弾性部材を、縦バタ材長手方向に沿って取り付けたことを特徴とする。
【００２２】
請求項１３は、請求項１〜１２の土木構造物構築用型枠装置において、積み重ねた前記間伐材の背面に型板を設置したことを特徴とする。
【発明の効果】
【００２３】
多数の間伐材を鋼製支保材の溝状部に嵌入して積み重ねる構造の場合、鋼製支保材が一体物であれば、間伐材を取り除くためには、間伐材を鋼製支保材の溝状部に沿って引き上げ上端から取り出さなければならない。
しかし、本発明によれば、鋼製支保材が少なくとも３つの支保材片に分割されており、そのうちの中間の支保材片をその上下の支保材片に対して前面方向に取り外すことができるので、取り外したこの中間の支保材片の個所から、間伐材を取り出すことができる。すなわち、土木構造物の外壁面の高さ方向の中間から間伐材を取り出すことができる。したがって、間伐材が腐食した時に間伐材を取り替える作業が容易になる。特に土木構造物の高さが高い場合に、上端から取り出す従来構造と比べて作業性の向上は顕著である。
また、鋼製支保材が複数に分割されて、個々の支保材片は軽量化するので、人が手で容易に持ち運びすることができ、この点で施工性がよい。
また、間伐材を鋼製支保材の溝状部に嵌入させる構造であるから、間伐材自体に煩雑な特殊加工を施すことは不要であり、コストを安くできる。また、間伐材どうしピン連結しあるいは間伐材をボルトで支柱に固定するような極めて煩雑な作業も不要であり、施工性がよく、施工コストも安くできる。
【００２４】
請求項２のような構造は、中間の支保材片を前面方向に取り外すことが可能な構造として適切である。
請求項３のように、鋼製支保材としてＨ形鋼を用い、支保材片の上下端部で、前面のフランジ、ウエブ、後面のフランジに段差を付ける構造は、中間の支保材片を前面方向に取り外すことが可能な構造として適切である。また、上の支保材片の荷重が下の支保材片に均等にかかるようにし易いという点でも適切である。
【００２５】
請求項４のように、ウエブの端部にパイプを接合し、パイプの穴に合わせてフランジに締結部材挿通穴をあける構造は、鋼製支保材としてＨ形鋼を用いた場合における支保材どうしの締結構造として適切である。この場合、請求項５のように締結部材としてボルトを用い、ナットで締め付ける構成が適切である。
【００２６】
請求項６のように、締結部材であるボルトに螺合させ締め付けるナットとしてナット兼アンカーを用いると、ボルトを取り外すことで、支保材片とアンカーとの結合を解除することができ、支保材片をコンクリート躯体から取り外すことが可能となる。
【００２７】
請求項７のように、棒状のアンカー材の先端面にねじ穴を形成した構造は、ナットとアンカーとを兼用する構造として適切である。
【００２８】
本発明は、鋼製支保材の溝状部に間伐材の端部を嵌入させて積み重ねる構成であるから、間伐材の外径が均一でなくてもよく、請求項９のように、間伐材として樹皮を残したままの間伐材を用いることができる。これにより、間伐材を安価に取得でき、間伐材の有効利用が一層促進される。
【００２９】
本発明の土木構造物構築用型枠装置は、請求項１０のように、露出した外壁面を両側に持つ堰堤型の土木構造物を構築する際に用いて好適である。
【００３０】
請求項１１によれば、一対の片側用型枠装置を対向させて配置する型枠装置の組み立てを容易に行うことができる。
【００３１】
請求項１２のように、縦バタ材の背面に隙間吸収用弾性部材を設けると、この隙間吸収用弾性部材が間伐材を鋼製支保材の溝状部内で後面側に押し付けるので、間伐材の外径の不揃いがあってもその不揃いは吸収され、間伐材が整然と積み重ねられる。
【００３２】
請求項１３のように、積み重ねた前記間伐材の背面に型板を設置すると、コンクリート仕上がり面として凹凸の少ない平坦面を得ることができ、間伐材取り替え時に、既存の間伐材の排出及び新しい間伐材の挿入を円滑に行なうことができる。
【発明を実施するための最良の形態】
【００３３】
以下本発明を実施するための好適な形態を、図１〜図１２に示した一実施例の土木構造物構築用型枠装置を参照して説明する。
【実施例１】
【００３４】
図１は本発明の一実施例の土木構造物構築用型枠装置１の要部の正面図、図２は図１のＡ−Ａ断面図、図３は図１のＢ−Ｂ断面図、図４は図１のＣ−Ｃ断面図である。また、図１２は要部の分解斜視図である。これの図に示すように、この土木構造物構築用型枠装置１は、例えば砂防ダムなどのように、露出した外壁面を両側に持つ堰堤型の土木構造物を構築するための型枠装置であって、図２〜図４に示すように一対の片側用型枠装置２、３を対向させて組み立てたものである。図２〜図４において、２は上流の片側用型枠装置、３は下流側の片側用型枠装置（以下、場合により単に型枠装置と呼ぶ）を示す。
両片側用型枠装置２、３は概ね同じ構造なので、主として上流側の型枠装置２について説明すると、この型枠装置２は図２に示すように、両側面に溝状部４をもつ断面形状であるＨ型鋼からなる鋼製支保材５の複数本を間隔をあけて立て、図１、２に示すように、左右の鋼製支保材５間に、横向きにした多数の間伐材６をその両端部を前記溝状部４に嵌入させつつ積み重ねて型枠面を形成している。
【００３５】
各鋼製支保材５は、図１、図３〜図５等に示すように、予め基礎に左右方向に設けた溝形鋼による基礎梁８上に当該基礎梁８に溶接固定した連結金具９を介してボルト・ナットで締結されている。鋼製支保材５は両側面に溝状部４を持つ断面形状であり、実施例ではＨ形鋼を用いている。
本発明では、鋼製支保材５を少なくとも３つ以上の支保材片に分割する。この実施例では図５に示すように、５つの支保材片１１、１２、１３、１４、１５に分割している。
下側の３つの支保材片１１、１２、１３について詳細を説明すると、図６、図７、図８にも示すように、連結される３つの支保材片１１、１２、１３のうちの中間の支保材片１２は、前面のフランジ１２ａの上下端部がウエブ１２ｂに対して上下に延出し、かつ、後面のフランジ１２ｃの上下端部がウエブ１２ｂに対して上下とも引っ込んだ形状である。すなわち前面のフランジ１２ａが後面のフランジ１２ｃより長く、ウエブ１２ｂの上下端の位置が、前面のフランジ１２ａの上端又は下端と後面のフランジ１２ｃの上端又は下端との中間にある上下対称形状である。そして、前面のフランジ１２ａのウエブ１２ｂ上下端より僅かに上又は下の位置に締結部材挿通穴１２ｄをあけている。
前記中間の支保材片１２の上側に隣接する支保材片１３の下部形状は、前面のフランジ１３ａの下端部がウエブ１３ｂに対して上に引っ込み、かつ、後面のフランジ１３ｃの下端がウエブ１３ｂに対して下に延出した形状である。そして、ウエブ１３ｂの下端にパイプ１６を溶接固定している。なお、この実施例においては、支保材片１３ａの上に、さらに支保材片１４が連続するので、支保材片１３の上部形状は下部形状と上下に対称的な形状である。
前記中間の支保材片１２の下側に隣接する支保材片（実施例では最下段の支保材片）１１の上部形状は、前面のフランジ１１ａの上端部がウエブ１１ｂに対して下に引っ込み、かつ、後面のフランジ１１ｃの上端部がウエブ１１ｂに対して上に延出した形状である。そして、ウエブ１１ｂの上端にパイプ１７を溶接固定している。なお、符号１１ｅはこの支保材片１１を基礎梁８側の連結金具９に固定するためのボルトを通すボルト穴である。
上記のように、上下に隣接する支保材片どうしは、前面のフランジとウエブと後面のフランジの各高さを違えて段差状にしており、上下の支保材片の接合部は前後方向から見て重なり部（図５で例えば矢印範囲ｈの部分）を持つ。
【００３６】
上下に隣接する支保材片どうしはボルト１８とナット兼アンカー１９で接合されている。ナット兼アンカー１９は、図９にも示すように、棒状部１９ａの後端に鍔１９ｂを固定し、棒状部の先端面にボルト１８が螺合するネジ穴１９ｃを形成した構成である。このボルト１８とナット兼アンカー１９を用いて、上記の３つの支保材片１１、１２、１３を接合する要領について説明する。
最下段の支保材片１１の上に中間の支保材片１２を載せるが、その際、互いに段差のついた端部における前面のフランジ１１ａ、１２ａどうしが接し、後面のフランジ１１ｃ、１２ｃどうしが接し、かつ支保材片１２のウエブ１２ｂの下端が支保材片１１のウエブ１１ｂの上端のパイプ１７に接触するように載せる。次いで、ボルト（締結部材）１８を支保材片１２の下部の締結部材挿通穴１２ｄに前面側から通し、支保材片１１のパイプ１７内及び締結部材挿通穴１１ｄを通して貫通させる。次いで、ボルト１８の先端に詳細は後述するナット兼アンカー１９をねじ込み締め付けることで、上下の支保材片１１、１２どうしを一体結合する。
次いで、支保材片１３を支保材片１２の上に載せるが、その際、互いに段差のついた前面のフランジ１２ａ、１３ａどうし、後面のフランジ１２ｃ、１３ｃどうしが接し、かつ支保材片１３のウエブ１３ｂの下端のパイプ１６が支保材片１２のウエブ１２ｂの上端に接触するように載せる。次いで、ボルト１８を支保材片１２の上部の締結部材挿通穴１２ｄに前面側から通し、支保材片１３のパイプ１６内及び締結部材挿通穴１３ｄを通して貫通させる。次いで、ボルト１８の先端にナット兼アンカー１９をねじ込み締め付けることで、上下の支保材片１２、１３どうしを一体結合する。
【００３７】
上記では下側の３つの支保材片１１、１２、１３についてのみ説明したが、支保材片１３の上側に隣接する支保材片１４は前記支保材片１２と同形状である。また、その上の最上段の支保材片１５の下部形状は、前記支保材片１３の下部形状と同じであるが、上部形状は、段差状ではなく、前後のフランジとウエブが揃った平坦の上端面である。
したがって、上述と同様にして支保材片１４および１５を順次接合していくと一体連続の所定高さの鋼製支保材５が得られる。
なお、鋼製支保材５の高さをさらに高くする場合は、上述した２つの支保材片１２、１３を交互に積み上げることで、対応できる。
【００３８】
上記のように鋼製支保材５を支柱として間隔をあけて立てた後、間伐材６を、図１、図２、図３、図１２等に示すように、その両端部をＨ形鋼である鋼製支保材５の溝状部４に嵌入させつつ積み重ねていく。図２〜図４に示すように、下流側の片側用型枠装置３についても同様にして組み立てた後、それぞれの型枠装置２、３の外面側に縦バタ材２１を前後（図４で左右方向）に対向させて配置し、この対向する前後の縦バタ材２１どうしをセパレータ２４及び連結部材３０を介して連結する。
縦バタ材２１は、図１、図２、図１０、図１２等に示すように、間隔材２３の両側に同長の２本の溝形鋼２２を互いに背中合わせに溶接固定して一体化した構造である。また、この実施例では、縦バタ材２１の背面側（間伐材６側）に、後述の板バネ２６を溶接固定している。
前記セパレータ２４は両端部にネジ２４ａを形成し、その近傍に抜け止め２４ｂを設けた構造である。連結部材３０は、先端側にセパレータ２４のネジ部２４ａに螺合するネジ穴３０ａを形成し、基端側にネジ３０ｂを形成しこれにナット３２を螺合させ、端部に四角形断面のスパナかけ３０ｃを設けた構造である。
【００３９】
対向する型枠装置２、３の外側に配置した縦バタ材２１どうしをセパレータ２４及び連結部材３０で連結する場合、連結部材３０の先端側を、プレート３１にあけた穴３１ａ（図１２参照）に通し、間伐材６の所定位置に設けた挿通穴６ａを貫通させ、スパナかけ３０ｃにスパナをかけて回して連結部材３０のネジ穴３０ａをセパレータ２４の端部のネジ部２４ａに螺合させ、適宜の長さになるまでねじ込む。間伐材６に設ける挿通穴６ａは、実施例では切欠状の挿通穴であるが、閉じた筒状穴でもよい。
次いで、ナット３２をねじ込んでいくと、プレート３１がワッシャとなってバタ材２１を間伐材６に押し付け、この時、間伐材６は鋼製支保材５の溝状部４内の背面側に押し付けられる。これにより、前後のバタ材２１がセパレータ２４及び連結部材３０で連結される。
【００４０】
この実施例では、図１０（イ）、（ロ）、図１１に示すように、縦バタ材２１の裏面側に、隙間吸収用弾性部材である多数の板バネ２６を溶接固定している。各板バネ２６は、短冊状の細長い板を中央近傍で鋭角に折り曲げ、さらにその先端を内側に折り返した形状であり、上向きに鋭角となるように縦バタ材２１の各溝形鋼２２に固定する。
間伐材６特に樹皮を剥いでいない間伐材は太さが不揃いであり、また、間伐材は根元側に比べて頂部側が細くなっているので、鋼製支保材５の溝状部４内で間伐材６とフランジとの間の隙間が不均一になりがちであるが、板バネ２６が個々の間伐材６を後面側に押し付けるので、間伐材６の両端部が鋼製支保材５の溝状部４内で後面のフランジに押し付けられ、したがって、間伐材６の外径の不揃いがあってもその不揃いは吸収され、間伐材６による型枠面（コンクリート躯体外面を形成する面）として、不揃いな凹凸のない型枠面が形成される。
なお、隙間吸収用弾性部材はゴムやウレタン等からなる弾性帯状の1枚物であってもよい。
【００４１】
上記のようにして対向する一対の型枠装置２、３を備えた土木構造物構築用型枠装置１が組み立てられる。組み立て後、コンクリートを内部に打設する。なお、コンクリートを打設する前に、図２に示すように、両側の型枠装置２、３の内面側にシート３３を張る。したがって、コンクリートは間伐材６に直接は接触せず、間伐材６がコンクリート躯体自体と一体結合することはない。
コンクリートが硬化した後、縦バタ材２１を取り外す。連結部材３０を、スパナかけ３０ｃにかけたスパナで回してセパレータ２４の端部のネジ部２４ａから外すと、連結部材３０を取り外すことができ、縦バタ材２１を取り外すことができる。鋼製支保材５は、その背面側にボルト１８で取り付けたナット兼アンカー１９がコンクリート躯体内に埋め込まれてアンカーとして機能するので、鋼製支保材５のコンクリート躯体に対する結合は確保される。
なお、構築しようとする土木構造物の高さが低い場合は、全体の型枠を形成してコンクリートを一度に打設することができるが、高さが高い場合は、型枠の形成及びコンクリート打設を複数回に分けて行うとことができる。例えば、最初のコンクリート打設は図３、図４の２点鎖線ａの位置までとし、コンクリート硬化後、前後の型枠装置２、３における鋼製支保材５の硬化コンクリートより上の部分で、前述と概ね同様にして間伐材６を積み重ね、かつ縦バタ材２１をセパレータ２４及び連結部材３０を用いて上述と同様に取り付け、コンクリートを打設する。この工程を繰り返して、所望の高さの土木構造物を形成する。
また、鋼製支保材５自体も、コンクリート打設する毎にその上の部分を継ぎ足していくこともできる。
【００４２】
上述のようにして構築される土木構造物は、概ね図１３のような土木構造物３５となる。この土木構造物３５は、露出する外面壁が間伐材６からなるので、景観的に良好であるが、一般に木材は経年により腐食するので、例えば１０年以上経過すると取り替える必要が生じることが考えられる。本発明の土木構造物構築用型枠装置１によれば、そのような場合に、腐食した間伐材を新しい間伐材に容易に取り替えることができる。
間伐材取り替えの要領を図５〜図７等を参照して説明すると、まず最初に、下から２番目の支保材片１２を取り外す。この場合、支保材片１２の上下のボルト１８を緩み方向に回して、それぞれのナット兼アンカー１９から抜き取ると、支保材片１２は上下の支保材片１１、１３に対して前面方向（図５で左方向）への移動を拘束されなくなるので、図５、図６の矢印（イ）のように前面側に取り外すことができる。
各間伐材６は両端部が鋼製支保材５の溝形部４内に嵌入して積み重ねられているだけであり、特別な拘束はないので、中間の支保材片１２を取り外した時、上側の間伐材６が支保材片１２を外した部分から次々と前面側に落下排出される。したがって、従来構造のように、各間伐材を鋼製支保材の上端から引き上げて、個々に取り出さなければならないものと異なり、腐食した間伐材の取り出しが極めて容易かつ能率的になる。
この方法で上方のすべての間伐材６の取り出しが行われない時は、必要に応じて留まっている間伐材６を作業者が手作業で落下させる等するとよい。すべての間伐材６を取り出した後、先に取り外した支保材片１２を元の位置にセットし、支保材片１２の上下部でボルト１８をナット兼アンカー１９に螺合させ締め付けると、上下の支保材片１１、１３に固定され、再び元の状態の鋼製支保材５になる。そこで、新しい間伐材６を鋼製支保材５の上端から順次挿入して積み重ねることで、腐食した間伐材６の取替え作業を済ませることができる。このように、腐食した間伐材の取替え作業が極めて容易になる。
【００４３】
なお、上記において、支保材片１２の部分より上方の間伐材６が落下しないように落下止め処置を施した上で、支保材片１２を取り外し、その部分の間伐材６だけを取り出し、以下、残りの間伐材６を下側の部分から一部分ずつ落下させる方法でもよい。
【００４４】
また、１つの支保材片１２を取り外してもすべての間伐材６が落下してこないことも考えられる。この場合は、残りの間伐材６を作業者が手作業で落下させるか、あるいは、最初に取り外した支保材片１２の上方の支保材片１３、１４、１５も取り外して、残りの間伐材６を取り出すとよい。
後者の場合には、支保材片１２を取り外した後に、その上の支保材片１３の上部のボルト１８を緩み方向に回してナット兼アンカー１９から抜き取ると、支保材片１３を、斜め下前方に引き下げるようにして、取り外すことができる。なお、さらに上の支保材片１４の上部のボルト１８も抜き取った後に支保材片１３を取り外す方法でもよい。支保材片１４の上部のボルト１８を抜き取ると、最上段の支保材片１５も取り外すことができる。
【００４５】
上述の５つの支保材片に分割した実施例では、２箇所の支保材片１２、１４が単独で取外し可能であるが、一方の支保材片のみを取外し可能にしたものでもよい。その場合、下から２番目の支保材片１２を取り外せるようにするのが、間伐材の排出を容易にするために最適である。
要するに、鋼製支保材が少なくとも３つ以上の支保材片に分割されるとともに、一部の支保材片が単独で前面方向に取外し可能な構成であればよい。
【００４６】
以上のように鋼製支保材５が複数の支保材片に分割されており、かつ少なくとも一部の支保材片を取り外すことができるので、構築後に腐食した間伐材を鋼製支保材から取り出すことができ、新しい間伐材と取り替える補修工事が可能となる。
【実施例２】
【００４７】
なお、間伐材として実施例のように丸太のままの間伐材６を用いる場合、その間伐材６で形成される型枠面は凹凸のある型枠面となり、図１４（イ）に示すように、コンクリート仕上がり面が間伐材６の断面形状に沿った凹凸のある面となる。３７はコンクリートを示す。そうすると、間伐材取り替えを行う時に、中間の支保材片１２を外してその上方の間伐材６を落下排出させる際、コンクリート仕上がり面の凹凸で妨げられて、間伐材６が円滑に落下しないことが考えられる。また、新しい間伐材６を鋼製支保材５の溝形部４に上端から挿入する際にも、間伐材６が下方に円滑にスライドしないことが考えられる。
その場合には、図１４（ロ）に示すように、積み重ねた間伐材６の背面にダンボール紙や薄いベニヤ板等による型板３８を配置して、コンクリートを打設するとよい。これにより、コンクリート仕上がり面として凹凸の少ない平坦面を得ることができ、間伐材取り替え時に、既存の間伐材６の排出及び新しい間伐材６の挿入を円滑に行なうことができる。
【００４８】
また、上述の実施例では、間伐材として丸太のままの間伐材６を用いたが、丸太の間伐材６を半円形断面に二分割したもの（分割片）を用いてもよい。
この場合、半円形断面の分割片を、その背面（半円状の面）と背面とが向き合うようにして積み重ねることができる。そのようにして間伐材（半円形断面の分割片）を積み重ねると、平坦な切断面により型枠面が形成されるので、コンクリート仕上がり面として凹凸の少ない平坦面を得ることができる。
【００４９】
上述した実施例は堰堤型の土木構造物を構築する型枠装置であるが、上述した片側用型枠装置２、３の一方のみからなる型枠装置を、擁壁を構築する型枠装置として用いることができる。
また、鋼製支保材５はＨ形鋼を用いるのが適切であるが、溝形鋼を背中合わせにしたもの等でもよく、要するに両側面に溝形部を持つ断面形状であればよい。なお、型枠装置の幅方向端部の鋼製支保材は当然、片側面のみに溝形部を持つものでよい。
【図面の簡単な説明】
【００５０】
【図１】本発明の一実施例の土木構造物構築用型枠装置の要部の正面図である。
【図２】図１のＡ−Ａ断面図である。
【図３】図１のＢ−Ｂ断面図である。
【図４】図１のＣ−Ｃ断面図である。
【図５】上流側の片側用型枠装置における鋼製支保材部分の側面図である。
【図６】図５における鋼製支保材の一部を分解して示した図である。
【図７】図６における下部の３つの支保材片のみを示した斜視図である。
【図８】図６における３つの支保材片を縦に並べて示した斜視図である。
【図９】図５等におけるアンカーの拡大斜視図である。
【図１０】図１における１つのバタ材を示すもので、（イ）は背面図、（ロ）は（イ）の左側面図である。
【図１１】図１０に示したバタ材における隙間吸収用弾性部材の使用状態を説明する図である。
【図１２】上述の土木構造物構築用型枠装置の要部の分解斜視図である。
【図１３】上記の土木構造物構築用型枠装置を用いて構築される土木構造物の断面図である。
【図１４】間伐材の背面に型板を配置する実施例についての説明図で、（イ）は型板を配置しない場合の不都合を説明する要部断面図、（ロ）は型板を配置した場合の要部断面図である。
【符号の説明】
【００５１】
１  土木構造物構築用型枠装置
２、３  片側用型枠装置
４  溝状部
５  鋼製支保材
６  間伐材
６ａ  挿通穴
８  基礎梁
９  連結金具
１１、１２、１３、１４、１５  支保材片
１１ａ、１２ａ、１３ａ  前面のフランジ
１１ｂ、１２ｂ、１３ｂ  ウエブ
１１ｃ、１２ｃ、１３ｃ  後面のフランジ
１１d  締結部材挿通穴
１６、１７  パイプ
１８  ボルト（締結部材）
１９  ナット兼アンカー
２１  縦バタ材
２２  溝形鋼
２３  間隔材
２４  セパレータ
２６  板バネ（隙間吸収用弾性部材）
３０  連結部材
３１  プレート
【図１】
2005290914.tif 000003
【図２】
2005290914.tif 000004
【図３】
2005290914.tif 000005
【図４】
2005290914.tif 000006
【図５】
2005290914.tif 000007
【図６】
2005290914.tif 000008
【図７】
2005290914.tif 000009
【図８】
2005290914.tif 000010
【図９】
2005290914.tif 000011
【図１０】
2005290914.tif 000012
【図１１】
2005290914.tif 000013
【図１２】
2005290914.tif 000014
【図１３】
2005290914.tif 000015
【図１４】
2005290914.tif 000016